(57)【特許請求の範囲】
【請求項１】
画像を印画用紙に印画し、印画した印画用紙を切断して印画物を生成する画像印画装置であって、
１つの画像を複数の画像に分割する画像分割手段と、
前記画像分割手段によって分割された画像に対して分割された一辺に沿って切代画像を合成する画像合成手段と、
前記画像合成手段によって合成された画像を印画用紙に印画する印画手段と、
前記印画手段により印画された印画用紙を切断する際に、前記切代画像が印画された領域内で切断する切断手段とを有することを特徴とする画像印画装置。
【請求項２】
前記画像合成手段は、前記画像分割手段によって分割された画像のＹＵＶデータに前記切代画像のＹＵＶデータを合成することを特徴とする請求項１に記載の画像印画装置。
【請求項３】
前記画像分割手段によって分割された画像を前記印画物のサイズよりも大きくリサイズするリサイズ処理手段を更に有することを特徴とする請求項１または２に記載の画像印画装置。
【請求項４】
前記切代画像は、前記一辺に直交する方向の長さが前記切断手段が切断するときに生じる切断位置の誤差長さよりも大きな長さに設定されていることを特徴とする請求項１ないし３の何れか１項に記載の画像印画装置。
【請求項５】
前記画像合成手段は、ユーザの選択に応じた切代画像を合成することを特徴とする請求項１ないし４の何れか１項に記載の画像印画装置。
【請求項６】
前記画像合成手段により合成された画像のうち、前記分割された画像よりも先に前記切代画像を印画するように前記画像を回転させる回転処理手段を更に有することを特徴とする請求項１ないし５の何れか１項に記載の画像印画装置。
【請求項７】
前記切代画像は、前記印画物を貼り付ける台紙と同一の色および図柄であることを特徴とする請求項１ないし６の何れか１項に記載の画像印画装置。
【請求項８】
画像を印画用紙に印画し、印画した印画用紙を切断して印画物を生成する画像印画装置の制御方法であって、
１つの画像を複数の画像に分割する画像分割ステップと、
前記画像分割ステップによって分割された画像に対して分割された一辺に沿って切代画像を合成する画像合成ステップと、
前記画像合成ステップによって合成された画像を印画用紙に印画する印画ステップと、
前記印画ステップにより印画された印画用紙を切断する際に、前記切代画像が印画された領域内で切断する切断ステップとを有することを特徴とする制御方法。
【請求項９】
画像を印画用紙に印画し、印画した印画用紙を切断して印画物を生成する画像印画装置を制御するためのプログラムであって、
１つの画像を複数の画像に分割する画像分割ステップと、
前記画像分割ステップによって分割された画像に対して分割された一辺に沿って切代画像を合成する画像合成ステップと、
前記画像合成ステップによって合成された画像を印画用紙に印画する印画ステップと、
前記印画ステップにより印画された印画用紙を切断する際に、前記切代画像が印画された領域内で切断する切断ステップとをコンピュータに実行させるためのプログラム。
【発明の詳細な説明】
【技術分野】
【０００１】
本発明は、画像印画装置、その制御方法およびプログラムに関するものである。特に１つの画像を複数の画像に分割して印画する見開きレイアウト印画に用いられて好適である。
【背景技術】
【０００２】
ロール紙等の印画用紙に対して画像の印画処理を行い、カッタ機構を駆動し印画用紙をカットすることで印画物を生成する昇華型熱転写式の画像印画装置が知られている。このような画像印画装置では、発熱させたサーマルヘッドをインクシートに押圧し、昇華したインクを印画用紙に熱転写させることで画像を形成する。
【０００３】
図１０は、インクシート１００の一部の構成を示す図である。インクシート１００は、各斜線部分にイエロー（Ｙ）、マゼンタ（Ｍ）、シアン（Ｃ）のインク層およびオーバコート（ＯＣ）のオーバコート層が一面ずつ順番に並べて形成されている。各インク層およびオーバコート層の先頭にはインク先頭検出センサが検出するための頭出しマーカ１０１が形成されている。１回の印画処理は、イエロー（Ｙ）、マゼンタ（Ｍ）、シアン（Ｃ）、オーバーコート（ＯＣ）の転写を繰り返すことで完了する。１回の印画処理で印画される印画サイズは、インクシート１００の各層の一面サイズによって規定される。
【０００４】
また、画像印画装置によって印画された印画物を整理するためにフォトブックが利用されている。フォトブックはフォトブック作成キットに印画物を貼り付けることで作成される。図１１は、フォトブック作成キットの構成を示す図である。図１１（ａ）に示すようにフォトブック作成キット１１１は厚紙等の台紙を複数枚綴った一冊の本であり、各ページには予め接着材が塗布された接着領域１１２（図１１（ａ）に示す二点鎖線内）が設けられている。１ページの接着領域１１２に対して１枚分の印画物を貼り付けることができる。フォトブック作成キット１１１のレイアウトとしては通常レイアウトと見開きレイアウトとを選択できる。図１１（ｂ）に示すように通常レイアウト１１３は１ページに１つの画像を形成するものである。図１１（ｃ）に示すように見開きレイアウト１１４は見開き２ページに１つの画像を形成するものである。見開きレイアウト１１４は１つの画像を２回の印画処理に分割して２枚の印画物を生成し、生成した印画物を１ページに１枚ずつ貼り付けることで完成する。
【０００５】
従来、上述したような画像印画装置のカッタ機構によって印画された印画用紙をカットするとき、精度の都合上カット位置がばらついてしまい、カットされた印画紙の端部に余白が残ってしまうことがあった。特許文献１に開示されたプリンタホストでは、印画サイズをカット位置のばらつきを許容する大きなサイズに設定することで余白が残るのを防止している。
【先行技術文献】
【特許文献】
【０００６】
【特許文献１】特開２００２−９１７２３号公報
【発明の概要】
【発明が解決しようとする課題】
【０００７】
しかしながら、図１１（ｃ）に示す見開きレイアウト１１４を作成するために、１つの画像を２枚の印画用紙に印画すると、２回の印画処理に分割したときのつなぎ目が不連続な画像になってしまう問題がある。図１２を参照して、画像のつなぎ目が不連続に印画される場合について説明する。従来では印画サイズをカット位置のばらつきを許容する大きなサイズに設定するために、図１２（ａ１）に示す印画用紙１２１のように画像の端部を切り捨ててしまう。この場合、図１２（ａ２）のように見開きレイアウト１２２にしたとき、切り捨てた部分だけつなぎ目が不連続な画像となってしまう。また、画像の端部に沿ってカットするように設定するとカット位置がばらつくため、図１２（ｂ１）に示す印画用紙１２３のように画像の端部に余白が残ってしまう場合がある。この場合、図１２（ｂ２）のように見開きレイアウト１２４にしたとき、余白が残ることでつなぎ目が不連続な画像となってしまう。
【０００８】
本発明は、上述したような問題点に鑑みてなされたものであり、見開きレイアウトのために１つの画像を複数の画像に分割して印画する場合に、分割した画像間のつなぎ目が不連続となることを回避することを目的とする。
【課題を解決するための手段】
【０００９】
本発明は、画像を印画用紙に印画し、印画した印画用紙を切断して印画物を生成する画像印画装置であって、１つの画像を複数の画像に分割する画像分割手段と、前記画像分割手段によって分割された画像に対して分割された一辺に沿って切代画像を合成する画像合成手段と、前記画像合成手段によって合成された画像を印画用紙に印画する印画手段と、前記印画手段により印画された印画用紙を切断する際に、前記切代画像が印画された領域内で切断する切断手段とを有することを特徴とする。
【発明の効果】
【００１０】
本発明によれば、１つの画像を複数の画像に分割して印画する場合に、分割した画像間のつなぎ目が不連続となることを回避することができる。
【図面の簡単な説明】
【００１１】
【図１】プリントシステムの構成を示す図である。
【図２】第１の実施形態に係る画像印画装置の内部構成を示すブロック図である。
【図３】画像印画装置を側面から見た模式図である。
【図４】画像印画装置の動作を示すフローチャートである。
【図５】画像印画装置の動作を示すフローチャートである。
【図６】印画サイズの設定を説明するための図である。
【図７】印画物をフォトブック作成キットの台紙に貼り付けた状態を示す図である。
【図８】第２の実施形態に係る切代画像の選択画面の一例を示す図である。
【図９】第３の実施形態に係る見開きレイアウト印画を説明するための図である。
【図１０】インクシートの構成を示す図である。
【図１１】フォトブック作成キットの構成を示す図である。
【図１２】見開きレイアウト印画について説明するための図である。
【発明を実施するための形態】
【００１２】
以下に、本発明の好ましい実施形態について添付の図面に基づいて詳細に説明する。
（第１の実施形態）
図１は、本実施形態に係る昇華型熱転写式の画像印画装置を用いたプリントシステムの構成を示す図である。
図１に示すプリントシステム１には、デジタルカメラ（以下、カメラという）１０と昇華型熱転写式の画像印画装置（以下、印画装置という）２０とがＵＳＢケーブル１５により通信可能に接続されている。プリントシステム１では、印画装置２０がカメラ１０で撮影したＪＰＥＧ圧縮画像をＪＰＥＧファイルのまま受信し印画することができる。また、印画装置２０はコンパクトフラッシュ（登録商標）メモリ（ＣＦ）、ＳＤメモリカード（ＳＤ）、メモリスティック（ＭＳ）等のメモリ媒体が挿入される複合カードスロット２１を備えている。印画装置２０はメモリ媒体に保存されたＪＰＥＧ圧縮画像を印画することができる。
【００１３】
印画装置２０はＪＰＥＧ圧縮画像を伸張してＹＵＶデータに変換した後、リサイズおよびイエロー（Ｙ）、マゼンタ（Ｍ）、シアン（Ｃ）からなるＹＭＣデータに変換し、印画用紙上に印画する。ＬＣＤ（液晶表示装置）２２にはカメラ１０やメモリ媒体から取得したＪＰＥＧ圧縮画像や操作メニューが表示される。各種スイッチ２３は印画装置２０の電源スイッチや操作スイッチ等の操作部を構成している。
【００１４】
図２は、印画装置２０の内部構成を示すブロック図である。印画装置２０はＬＣＤ２２、操作部２３、ＣＰＵ（中央処理装置）２４、画像処理部２５、通信制御部２６、ＬＣＤドライバ２７、カードコネクタ２９、ＳＤＲＡＭ３０、Ｆｌａｓｈ  ＲＯＭ３１を備えている。また、印画装置２０はサーマルヘッド制御部３２、サーマルヘッド３３、モータ駆動制御部３８、搬送モータ３９、センサ駆動制御部４０、先端検出センサ４１等を備えている。
【００１５】
ＣＰＵ２４は印画装置２０のシステム制御や演算処理を行う。画像処理部２５はカメラ１０およびメモリ媒体から取得したＪＰＥＧ圧縮画像を処理する画像処理エンジン等からなっている。画像処理部２５は取得したＪＰＥＧ圧縮画像に対して伸長等の各種画像処理を行ってＹＭＣデータに変換する。通信制御部２６は接続されるカメラ１０との通信を制御する。ＬＣＤドライバ２７はＬＣＤ２２を駆動する。カードコネクタ２９はＪＰＥＧ圧縮画像を保存しておくためのメモリ媒体２８を複合カードスロット２１に装着するためのコネクタである。ＳＤＲＡＭ３０はＪＰＥＧ圧縮画像の一時保存およびデータ処理の作業用に用いられるメモリである。Ｆｌａｓｈ  ＲＯＭ３１はＣＰＵ２４が実行するためのシステム制御用プログラム等が格納される書き換え可能なＲＯＭである。
【００１６】
サーマルヘッド制御部３２は画像処理部２５で変換されたＹＭＣデータを、サーマルヘッド３３を通電するためのラインデータに変換する。サーマルヘッド３３はシフトレジスタ３４、ラッチ回路３５、発熱抵抗体３６を備える。シフトレジスタ３４はサーマルヘッド制御部３２より送出される１ライン分のシリアルラインデータをパラレルに変換する。ラッチ回路３５はサーマルヘッド制御部３２からのラッチ信号によってシフトレジスタ３４のデータをラッチし、このラッチデータとサーマルヘッド制御部３２からのストローブ信号によって発熱抵抗体３６を発熱させる。このように、サーマルヘッド制御部３２はサーマルヘッド３３を通電することで印画用紙に印画する。
【００１７】
サーマルヘッド３３には温度センサ３７が直接取り付けられている。ＣＰＵ２４は温度センサ３７の出力信号を取得してサーマルヘッド３３の温度を検知し、サーマルヘッド過熱時には温度が低下するまで印画を一時停止したり、異常過熱時には印画を中止したりする制御を行う。
モータ駆動制御部３８は、印画用紙搬送用、インクシート巻き取り用およびカッタ駆動用のモータの駆動を制御する。センサ駆動制御部４０は印画用紙先端検知を行う先端検出センサ４１の駆動を制御する。先端検出センサ４１には光センサ等が用いられる。
【００１８】
次に、印画装置２０の印画処理について図３に示す印画装置２０の側面から見た模式図を参照して説明する。
印画装置２０では、図示しないサイドドアを開けて外部から印画用紙カセット４２およびインクカセット４４が装着されることで印画の準備を行う。印画用紙カセット４２の内部にはロール状に巻かれた印画用紙４３が収納されている。印画装置２０は印画用紙４３の中心部に印画用紙４３と一体的に回動するボビン軸５３を駆動させることで印画用紙４３を印画用紙カセット４２から引き出す。
【００１９】
印画装置２０は印画用紙カセット４２から引き出した印画用紙４３をカール取りローラ部４５まで搬送する。カール取りローラ部４５はカール取りローラおよび対向するカール取り従動ローラによって構成されている。カール取りローラ部４５は印画用紙４３がカール取りローラ部４５に搬送されたときに離反状態から圧接状態へ移行し印画用紙４３を挟み込む。カール取りローラ部４５はロール状に巻かれている方向と反対側にテンションを加えることによって印画用紙４３の巻き癖を矯正する。印画装置２０はカール取りローラ部４５を駆動させることで矯正した印画用紙４３を搬送ローラ部４６に搬送する。搬送ローラ部４６はピンチローラ４６ａとグリップローラ４６ｂによって構成されている。グリップローラ４６ｂは図示しないステッピングモータの出力軸に減速機構を介して直結され、ステッピングモータの回転制御により正逆自在に駆動される。搬送ローラ部４６は印画用紙４３が搬送ローラ部４６に搬送されたときに離反状態から圧接状態へ移行し印画用紙４３を挟み込む。印画用紙４３は搬送ローラ部４６によって挟持された状態で往復搬送されるので、ステッピングモータの回転制御により正確に位置制御が行われる。
【００２０】
ここで、サーマルヘッド３３による１ライン分の記録ピッチを８５μｍとし、印画用紙４３を１ライン分搬送するためのステッピングモータのステップ数を４ステップとする。印画用紙４３はステッピングモータを４ステップで回転制御することにより１ライン、すなわち８５μｍ搬送される。印画範囲が用紙搬送方向において１４４ｍｍとすると、１６９４ライン印画可能であり、ステッピングモータは印画用紙を１４４ｍｍ搬送させるためには６７７６ステップ分回転すればよい。
【００２１】
搬送ローラ部４６の近傍には、印画用紙４３の先端を検出する先端検出センサ４１が配置されている。印画装置２０は印画用紙４３の先端を先端検出センサ４１を介して検出した後、印画用紙４３を所定ライン分搬送させた位置で停止させる。印画装置２０は印画用紙４３を印画用紙カセット４２内部に引き込む方向に搬送しながら印画する。すなわち、印画用紙４３の先端はサーマルヘッド３３の真下の印画開始位置から排紙口５１に向かって印画範囲分だけ搬送された位置にセットされる。
【００２２】
印画装置２０の印画部には、印画用紙４３の搬送経路を挟んでプラテンローラ４７とＹＭＣデータに応じて発熱するサーマルヘッド３３が対向して配置されている。インクカセット４４に収納されるインクシート４８は、熱溶融性または熱昇華性インクを塗布したインク層および印画面の保護を目的として印画面上にオーバコートを施すためのオーバコート層が形成されている。印画時にはインクシート４８がサーマルヘッド３３によって印画用紙４３に押圧され、ＹＭＣデータに応じてサーマルヘッド３３の発熱抵抗体３６が選択的に加熱されることによって印画用紙４３に画像が転写記録される。
【００２３】
インクシート４８は、所定のサイズでイエロー（Ｙ）、マゼンタ（Ｍ）、シアン（Ｃ）の各インク層とオーバコート（ＯＣ）層が各一面ずつ順番に並べて形成されている（図１０を参照）。１回の印画処理で印画される印画サイズはイエロー（Ｙ）、マゼンタ（Ｍ）、シアン（Ｃ）、オーバコート（ＯＣ）の各層の一面サイズによって規定され、これを定形サイズとする。印画装置２０は印画用紙４３を印画開始位置から所定ライン数搬送して１層分を熱転写した後、再び印画用紙４３を印画開始位置に戻す。このようにして印画装置２０はイエロー（Ｙ）、マゼンタ（Ｍ）、シアン（Ｃ）各色およびオーバコート（ＯＣ）の転写を計４回繰り返すことで１回の印画処理が完了する。印画装置２０はオーバコート（ＯＣ）の印画を終了すると、搬送ローラ部４６を駆動して、印画用紙４３の印画終端をカッタユニット４９まで搬送する。
【００２４】
カッタユニット４９はカッタ歯４９ａとカッタ受け歯４９ｂとにより構成されている。印画装置２０は不図示のカッタモータによりカッタ歯４９ａを印画用紙４３の搬送方向に対して垂直に駆動させ、カッタ歯４９ａとカッタ受け歯４９ｂとをはさみのように擦り合わせることで印画用紙４３をカットする。また、カッタユニット４９は印画装置２０に外部から着脱可能であり、カッタ歯４９ａおよびカッタ受け歯４９ｂの歯が欠けた場合に容易に交換できる。印画装置２０は印画用紙４３の印画終端をカッタユニット４９に搬送すると、図示しないステッピングモータによって排紙ローラ部５０を駆動して印画用紙４３を挟み込む。このとき、印画装置２０は搬送ローラ部４６を駆動して印画用紙４３を印画用紙カセット４２側に所定量だけ巻き取り印画用紙４３のたるみをなくした状態でカッタユニット４９のカッタモータを駆動して印画用紙４３をカットする。カットされて生成された印画物は排紙ローラ部５０によって後端部が挟持された状態である。印画装置２０はこの状態から排紙ローラ部５０を排紙方向に駆動して印画物を排紙口５１まで搬送し外部に排紙する。
【００２５】
印画装置２０は排紙ローラ部５０を所定時間駆動した後に停止する。また、巻き取り側の印画用紙４３の端部には画像の一部が切り残されている。したがって、印画装置２０は搬送ローラ部４６を所定ライン分駆動して画像の一部が印画されている印画用紙４３の端部をカッタユニット４９まで搬送する。印画装置２０はカッタユニット４９のカッタモータを駆動して巻き取り側の印画用紙４３の切り残し画像をカットする。カットされた切り残し画像は切り屑箱５２に落下して収納される。印画終了後、印画装置２０は巻き取り側の印画用紙４３を搬送ローラ部４６によって印画用紙カセット４２側に所定ライン分巻き取り、次の印画処理を開始するまで待機する。
【００２６】
次に、印画装置２０が行う処理を図４および図５に示すフローチャートを参照して更に詳細に説明する。図４および図５に示すフローチャートは、ＣＰＵ２４がＦｌａｓｈ  ＲＯＭ３１に格納されたプログラムを実行することにより実現される。
図４（ａ）のフローチャートに示すように、ＣＰＵ２４は操作部２３を介した印画画像の選択およびレイアウトの設定等により印画命令を受付ける（Ｓ１０１）。通常レイアウトが設定された場合（Ｓ１０２からｎｏに進む）、ＣＰＵ２４は通常レイアウト印画を行う（Ｓ１０３）。
【００２７】
図４（ｂ）のフローチャートは図４（ａ）に示す通常レイアウト印画（Ｓ１０３）の処理を示している。
まず、画像処理部２５は印画するＪＰＥＧ圧縮画像に対してＪＰＥＧ伸張を行いＹＵＶデータに変換する（Ｓ１１１）。ＹＵＶデータは、画像を輝度信号（Ｙ）、輝度信号と青色成分の差（Ｕ）、輝度信号と赤色成分の差（Ｖ）の情報で示すものである。画像処理部２５は変換したＹＵＶデータを印画サイズにリサイズする（Ｓ１１２）。
【００２８】
図６（ａ）に通常レイアウト印画におけるＹＵＶデータを印画サイズにリサイズする設定を示す。印画用紙４３をカット位置（切断位置）５４ａ、５４ｂでカットした領域が用紙サイズ５５（図６（ａ）に示す斜線部内）である。一方、印画サイズ５６（図６（ｂ）に示す一点鎖線）は用紙サイズ５５よりも大きなサイズにリサイズされる。このように設定することでカット位置５４ａ、５４ｂがばらついた場合であっても印画物の端部に余白が残ることを回避できる。また、画像データの展開に必要なＳＤＲＡＭ３０のメモリサイズが小さくてもいいように、ＣＰＵ２４はＪＰＥＧ伸張後のＹＵＶデータをＳＤＲＡＭ３０から消去し、リサイズ後のＹＵＶデータに上書きする。
【００２９】
次に、画像処理部２５はリサイズ後のＹＵＶデータをイエロー（Ｙ）、マゼンタ（Ｍ）、シアン（Ｃ）の３色からなるＹＭＣデータに変換する（Ｓ１１３）。ＣＰＵ２４はサーマルヘッド制御部３２およびモータ駆動制御部３８を介して印画用紙４３にイエロー（Ｙ）、マゼンタ（Ｍ）、シアン（Ｃ）、オーバコート（ＯＣ）の印画およびカットして、印画物を生成する（Ｓ１１４）。
【００３０】
図５（ａ）のフローチャートは図４（ｂ）のＳ１１４を示している。
まず、ＣＰＵ２４はインクシート４８の巻き取りを行い、インクシート４８のイエロー層の先頭に形成された頭出しマーカ（不図示）をインク先頭検出センサ（不図示）を介して検出した時点で停止させてイエロー印画開始位置にセットする（Ｓ１３１）。次に、ＣＰＵ２４は印画用紙４３を印画開始位置まで搬送する（Ｓ１３２）。ＣＰＵ２４はＹＭＣデータのうちイエローデータ（Ｙデータ）をサーマルヘッド制御部３２に転送し、サーマルヘッド制御部３２はサーマルヘッド３３を通電するためのラインデータに変換する。サーマルヘッド制御部３２は印画用紙４３およびインクシート４８を搬送するのに同期して、イエローデータの先頭ラインデータから終端ラインデータまで１ラインずつ順番にサーマルヘッド３３に通電してイエローの印画を行う（Ｓ１３３）。
【００３１】
ＣＰＵ２４はイエローデータの印画終了後、イエロー先頭検出（Ｓ１３１）と同様にして、インクシート４８のマゼンタ先頭検出を行う（Ｓ１３４）。ＣＰＵ２４はステッピングモータをイエロー印画開始から完了までと同ステップ分逆回転させて、印画用紙４３をイエロー印画完了位置から印画開始位置まで戻すように搬送する（Ｓ１３５）。サーマルヘッド制御部３２はイエロー印画（Ｓ１３３）と同様にしてマゼンタデータ（Ｍデータ）を用いてサーマルヘッド３３を通電してマゼンタの印画を行う（Ｓ１３６）。
【００３２】
ＣＰＵ２４はマゼンタデータの印画終了後、イエロー先頭検出（Ｓ１３１）と同様にして、インクシート４８のシアン先頭検出を行う（Ｓ１３７）。ＣＰＵ２４は印画用紙４３をマゼンタ印画完了位置から印画開始位置まで戻すように搬送する（Ｓ１３８）。サーマルヘッド制御部３２はイエロー印画（Ｓ１３３）と同様にしてシアンデータ（Ｃデータ）を用いてサーマルヘッド３３を通電してシアンの印画を行う（Ｓ１３９）。
【００３３】
ＣＰＵ２４はシアンデータの印画終了後、イエロー先頭検出（Ｓ１３１）と同様にして、インクシート４８のオーバコート先頭検出を行う（Ｓ１４０）。ＣＰＵ２４は印画用紙４３をシアン印画完了位置から印画開始位置まで戻すように搬送する（Ｓ１４１）。画像処理部２５は印画するＹＭＣデータとは別に予め一定の階調値に設定されているオーバコートデータ（ＯＣデータ）を有している。サーマルヘッド制御部３２は印画用紙４３およびインクシート４８を搬送するのに同期して、同一のラインデータを所定ライン分だけ繰り返しサーマルヘッド３３に通電してオーバコートデータの印画を行う（Ｓ１４２）。
【００３４】
ＣＰＵ２４は印画用紙４３を所定ライン数搬送して印画終端をカッタユニット４９のカット位置に合わせる（Ｓ１４３）。ＣＰＵ２４はカッタユニット４９のカッタモータを駆動して印画用紙４３をカットする（Ｓ１４４）。ＣＰＵ２４はカットした印画物を排紙口５１まで搬送して外部に排紙する（Ｓ１４５）。ＣＰＵ２４は巻き取り側の印画用紙４３を所定ライン数搬送して切り残し画像をカッタユニット４９のカット位置に合わせてカットする（Ｓ１４６）。以上のように通常レイアウト印画では１回の印画処理（イエロー、マゼンタ、シアン、オーバコート印画を各１回実行）により完了する。
【００３５】
図４（ａ）のフローチャートに戻り、見開きレイアウトが設定された場合（Ｓ１０２からｙｅｓに進む）、ＣＰＵ２４は見開きレイアウト印画を行う（Ｓ１０４〜Ｓ１０５）。見開きレイアウト印画では、１つの画像を２回の印画処理に分割して印画する。まず、ＣＰＵ２４は印画処理１回目を行い（Ｓ１０４）、続いて印画処理２回目を行う（Ｓ１０５）。
【００３６】
図５（ｂ）のフローチャートは図４（ａ）に示す見開きレイアウト印画（Ｓ１０４〜Ｓ１０５）の処理を示している。
まず、画像処理部２５は印画するＪＰＥＧ圧縮画像に対してＪＰＥＧ伸張を行いＹＵＶデータに変換する（Ｓ１５１）。画像処理部２５は変換したＹＵＶデータを用紙搬送方向に対して分割する（Ｓ１５２）。換言すると、画像処理部２５はＹＵＶデータを印画用紙がカットされるラインを挟んで分割する。この処理は、画像分割手段により処理の一例に対応する。この分割は、画像を２つに分割するものであって分割箇所の画素を変更、損失するものではない。また、印画処理１回目は分割後ＹＵＶデータの片側、印画処理２回目は分割後ＹＵＶデータのもう片側のみを使用するので、ＣＰＵ２４は使用しない側の分割後ＹＵＶデータをＳＤＲＡＭ３０から消去する（Ｓ１５３）。画像処理部２５は分割後ＹＵＶデータを印画サイズにリサイズする（Ｓ１５４）。この処理は、リサイズ処理手段による処理の一例に対応する。
【００３７】
図６（ｂ）に見開きレイアウト印画における分割後ＹＵＶデータを印画サイズにリサイズする設定を示す。通常レイアウト印画と同様に印画サイズ５６（図６（ｂ）に示す一点鎖線）は用紙サイズ５５（図６（ｂ）に示す斜線部内）よりも大きなサイズにリサイズされる。ここで、見開きレイアウト印画では、印画サイズ５６が分割後ＹＵＶデータの印画サイズ５７と切代画像の印画サイズ５８とを組み合わせたものになる。
【００３８】
切代画像とは、見開きレイアウト印画における画像間のつなぎ目の不連続を回避する目的の画像であって、分割後の画像に付加される画像である。切代画像はフォトブック作成キットの台紙と同一の色および図柄の矩形画像である。ここでの図柄とは無地を含むものとする。
ここで、切代画像の詳細について説明する。
見開きレイアウトはフォトブックの見開き２ページ分にまたがって１つの画像をレイアウトする。つまり、１つの画像を２回の印画処理に分割して印画し、印画して生成された２枚の印画物を台紙に貼り付ける。この２回の印画処理を通常レイアウト印画と同様にして行った場合、図６（ａ）に示すように画像の端部が切り捨てられてしまうので画像間のつなぎ目が不連続になってしまう。そこで、分割後ＹＵＶデータの分割箇所である一辺５９に隣接させて切代画像を合成する。この切代画像はフォトブック作成キットの台紙と同一の色および図柄である。フォトブック作成キットが１種類のみ存在する場合は台紙と同じ色および図柄を切代画像として予め設定する。また、フォトブック作成キットが複数種類存在する場合は切代画像の図柄をユーザが任意に選択できるようにする。この場合、ＣＰＵ２４は印画画像およびレイアウトの設定により印画命令を受付けるときに、ユーザに選択された切代画像も受付けるようにすることができる。
【００３９】
また、切代画像は用紙搬送方向に垂直な方向の長さが一辺５９と同じ長さであり、用紙搬送方向の長さ（一辺５９に直交する方向の長さ）がカット位置５４ａがばらついても確実に切代画像内で収まる長さに予め設定される。すなわち、切代画像の用紙搬送方向の長さは、カッタユニット４９によるカット位置５４ａが最もカット位置５４ｂ側に変動したときと最もその反対側に変動したときの差から生じる誤差長さよりも大きな長さに設定される。したがって、カット位置５４ａがカット位置５４ｂ側に変動しても分割後ＹＵＶデータの画像内でカットされることがなく、反対側に変動しても切代画像が印画されていない未印画部分でカットされることがない。
カットされた後の印画物は、端部に切代画像の一部が残るものの、切代画像はフォトブック作成キットの台紙と同一の色および図柄であることから、台紙に貼り付けた際に見開きレイアウトの画像間のつなぎ目が不連続になることを回避できる。
【００４０】
このように、ＣＰＵ２４は見開きレイアウトの画像間のつなぎ目の不連続の回避を目的としてリサイズ後の分割後ＹＵＶデータと切代画像のＹＵＶデータを合成する（Ｓ１５５）。この処理は、画像合成手段による処理の一例に対応する。分割後ＹＵＶデータと切代画像のＹＵＶデータとを合成することで印画されたときの切代画像の色味を台紙と略同一にすることができる。また、印刷対象の画像データに対して、リサイズや色変換、補正処理等を行う場合は、印刷対象の画像データと切代画像データとを合成する前に行う。これは、印刷対象の画像データと切代画像データとを合成した後に、切代画像データを含んだ状態で画像処理を行うと、切代画像データの色や形状が、印刷対象の画像によって変化してしまう恐れがあるためである。
次に、画像処理部２５は切代画像を合成したＹＵＶデータをイエロー（Ｙ）、マゼンタ（Ｍ）、シアン（Ｃ）の３色からなるＹＭＣデータに変換する（Ｓ１５６）。ＣＰＵ２４はサーマルヘッド制御部３２およびモータ駆動制御部３８を介して印画用紙４３にイエロー（Ｙ）、マゼンタ（Ｍ）、シアン（Ｃ）、オーバコート（ＯＣ）の印画およびカットして、印画物を生成する（Ｓ１５６）。Ｓ１５６の処理は、図５（ａ）のフローチャートに示される。見開きレイアウト印画では２回の印画処理（イエロー、マゼンタ、シアン、オーバコート印画各２回実行）により完了する。図７は、見開きレイアウト印画により印画された２枚の印画物６２、６３をフォトブック作成キットの台紙６１に貼り付けた状態を示す図である。図７に示す各印画物６２、６３には、画像間のつなぎ目となる各辺に台紙６１と同一の色および図柄の切代画像６０が印画されていて、２つの画像間のつなぎ目の不連続が解消されている。
【００４１】
このように本実施形態によれば、見開きレイアウト印画では１つの画像を、カットされるラインを挟んで２つの画像に分割し、２回の印画処理によって印画を行う。このとき、フォトブック作成キットの台紙と同一の色および図柄の切代画像を分割後の画像のそれぞれ分割箇所の一辺に隣接させて合成して画像を印画し、その後、切代画像が印画された領域をカットして印画物を生成する。したがって、カット位置がばらついたとしても、生成された印画物を台紙に貼り付けたとき、２つの画像間のつなぎ目が不連続となることを回避することができる。
【００４２】
（第２の実施形態）
次に、第２の実施形態について説明する。第２の実施形態では、フォトブック作成キットが複数種類存在し、ユーザが任意に切代画像を選択できる構成について説明する。その他の構成は、第１の実施形態と同様であり、その説明を省略する。
フォトブック作成キットが複数種類存在する場合、見開きレイアウトで画像間のつなぎ目が不連続となることを回避するためには、各々のフォトブック作成キットの台紙と同一の色および図柄を切代画像として設定する必要がある。そこで、本実施形態では、ＣＰＵ２４は図５（ａ）のフローチャートの印画命令受付（Ｓ１０１）において、切代画像として設定可能な切代画像をＬＣＤ２２に一覧表示する。
【００４３】
図８（ａ）は、フォトブック作成キットの台紙の図柄をサムネイル画像７１で一覧表示した選択画面である。ＣＰＵ２４はユーザがサムネイル画像７１から選択した図柄を切代画像として設定する。
図８（ｂ）は、フォトブック作成キットの商品名７２およびアイコン７３を一覧表示した選択画面である。ＣＰＵ２４はユーザが商品名７２から選択したフォトブック作成キットの台紙の図柄を切代画像として設定する。図８（ｂ）では実際に選択するのはフォトブック作成キットの商品名７２なので、切代画像の設定をユーザに意識させることなく、切代画像の設定を行うことができる。また、フォトブック作成キットの商品１点に対して切代画像だけでなく、印画サイズ等その他の設定を関連付けておき、フォトブック作成キットの商品名７２を選択することで種々の設定を一括して完了できるようにしてもよい。
【００４４】
このように本実施形態によれば、切代画像として設定可能な図柄を一覧表示してユーザに選択させることで、複数種類のフォトブック作成キットに対して見開きレイアウトの２つの画像間のつなぎ目が不連続となることを回避することができる。
【００４５】
（第３の実施形態）
次に、第３の実施形態について説明する。第３の実施形態では、分割後の画像と切代画像とを合成した画像を印画する場合、切代画像が先に印画されるように切代画像が印画開始位置となるように画像の向きを回転させる構成について説明する。その他の構成は、第１の実施形態と同様であり、その説明を省略する。
図９は、見開きレイアウト印画時の印画処理１回目および２回目の画像と印画開始位置との設定を示す図である。図９では、８１、８２がそれぞれ１つの画像を分割した分割画像、６０が切代画像、８３が印画開始位置、８４が印画終了位置である。
【００４６】
図９（ａ）、（ｂ）、（ｃ）は、印画処理１回目または２回目の何れかにおいて、切代画像６０よりも先に分割画像８１、８２から印画を開始している見開きレイアウトの印画物を示す図である。この場合、切代画像６０を印画する時点のサーマルヘッド３３の発熱状態が分割画像８１、８２を印画したときの蓄熱により影響を受けてしまう。すなわち、印画処理１回目および２回目で切代画像６０を印画するときのサーマルヘッド３３の発熱状態が異なってしまうために、印画処理１回目と２回目とで切代画像６０に濃度差が生じてしまう。そのため、フォトブック作成キットの台紙に貼り付けたときに切代画像６０の濃度差が目立ち、つなぎ目が不連続であるように見える一因となってしまう。
【００４７】
そこで、本実施形態では、画像処理部２５は、図５（ｂ）に示すＳ１５２のＹＵＶデータを２分割したときに、分割画像を回転させる。この処理は、回転処理手段による処理の一例に対応する。すなわち、印画処理１回目および２回目共に切代画像６０が分割画像８１、８２よりも先に印画されるように、切代画像６０の側端部が印画開始位置となるように設定する。図９（ｄ）では、分割画像８１を回転させて印画して、印画処理１回目または２回目共に、分割画像８１、８２よりも先に切代画像６０の印画を開始している見開きレイアウトの印画物を示す図である。この結果、印画処理１回目および２回目の切代画像６０を印画する時点のサーマルヘッド３３の発熱状態を同一条件にすることができ、印画処理１回目および２回目の切代画像６０の濃度差を軽減することができる。したがって、フォトブック作成キットの台紙に貼り付けた際に画像間のつなぎ目が不連続となることを回避することができる。
【００４８】
上述した本実施形態における印画装置２０の各手段、または印画装置２０の制御方法の各ステップは、ＣＰＵ２４がＦｌａｓｈ  ＲＯＭ３１等に格納されたプログラムを動作することによって実現できる。このプログラムおよびこのプログラムを記録したコンピュータ読み取り可能な記録媒体は本発明に含まれる。
【００４９】
以上、本発明の好ましい実施形態について説明したが、本発明はこれらの実施形態に限定されず、その要旨の範囲内で種々の変形及び変更が可能である。本実施形態では、分割した２つの画像のうち、先に印画する画像は限定されず、どちらを先に印画してもよい。また、本実施形態では、１つの画像を２つの画像に分割する場合について説明したが、この場合に限られず、１つの画像を３つ以上の複数の画像に分割する場合にも同様に適用することができる。
【符号の説明】
【００５０】
１：プリントシステム  ２０：画像印画装置  ２３：操作部  ２４：ＣＰＵ  ２５：画像処理部  ３２：サーマルヘッド制御部  ３３：サーマルヘッド  ３４：シフトレジスタ  ３５：ラッチ回路  ３６：発熱抵抗体  ３７：温度センサ  ３８：モータ駆動制御部  ３９：モータ  ４３：印画用紙  ４８：インクシート  ４９：カッタユニット
【図１】
0005766060.tif 000002
【図２】
0005766060.tif 000003
【図３】
0005766060.tif 000004
【図４】
0005766060.tif 000005
【図５】
0005766060.tif 000006
【図６】
0005766060.tif 000007
【図７】
0005766060.tif 000008
【図８】
0005766060.tif 000009
【図９】
0005766060.tif 000010
【図１０】
0005766060.tif 000011
【図１１】
0005766060.tif 000012
【図１２】
0005766060.tif 000013